(57)【特許請求の範囲】
【請求項１】
タッチパネルと、
前記タッチパネルの背面に配置され、使用者が前記タッチパネルの一方の面を操作することにより入力された入力信号により表示画像を表示する表示素子と、
光を出射する第１の光源、前記第１の光源に電源を供給する配線および前記第１の光源を
実装する光源基板、互いに対向する側面を有し、少なくとも１つの前記側面に前記第１の
光源を備える筐体を有し、前記表示素子を背面から照射する面状光源装置と、
前記タッチパネルから入力信号が入力された場合、前記表示素子に表示画像を表示させる基本機能および前記第１の光源をＯＮ状態とし、前記タッチパネルに入力信号が所定時間入力されなかった場合、前記表示素子の基本機能および前記第１の光源をＯＦＦ状態とし、待機メッセージのみを表示させる制御手段と、を備え、
前記面状光源装置は、前記待機メッセージを表示させる時間に同期して点灯し、前記待機
メッセージを表示させる領域を照射する第２の光源を備え、
前記第１または前記第２の光源は、発光ダイオードまたはレーザダイオードから構成されたことを特徴とする表示装置。
【請求項２】
前記第２の光源は、前記第１の光源と異なる光源基板に実装され、前記第１の光源が配置
された側面とは異なる面に設けられたことを特徴とする、請求項１に記載の表示装置。
【請求項３】
前記第２の光源は、複数配置されて切り替えながら点灯するよう制御され、当該点灯のタイミングに同期して前記表示素子に前記待機メッセージを表示させることを特徴とする請求項１または２に記載の表示装置。
【請求項４】
前記第２の光源は、前記第１の光源と同一の前記光源基板上に実装されたことを特徴とする、請求項１または３に記載の表示装置。
【請求項５】
タッチパネルと、
前記タッチパネルの背面に配置され、使用者が前記タッチパネルの一方の面を操作するこ
とにより入力された入力信号により表示画像を表示する表示素子と、
発光ダイオードまたはレーザダイオードから構成され、光を出射する光源、前記光源に電源を供給する配線および前記光源を実装する光源基板を有し、前記表示素子を背面から照射する面状光源装置と、
前記タッチパネルから入力信号が入力された場合、前記表示素子に表示画像を表示させる基本機能をＯＮ状態とし、前記タッチパネルに入力信号が所定時間入力されなかった場合、前記表示素子の基本機能をＯＦＦ状態とし待機メッセージのみを表示させる制御手段と、を備え、
前記表示素子に表示画像を表示させる時間に同期して前記光源を点灯させる系統と、
前記表示素子に待機メッセージを表示させる時間に同期して、前記待機メッセージを表示
させる領域を照射する位置に配置した前記光源のみを点灯する系統と、を備え、前記光源は、同一の前記光源基板に実装されたことを特徴とする、表示装置。
【発明の詳細な説明】
【技術分野】
【０００１】
本発明は、液晶表示素子等の表示素子を背面より照射する面状光源装置を備える表示装置に関するものであり、特にタッチパネル等の入力装置を備えた表示装置に関するものである。
【背景技術】
【０００２】
近年の情報電子機器の普及に伴い、薄型、軽量の液晶表示装置は、携帯電話やパソコン用のディスプレイ、産業用途で使用される装置類、車載の表示装置、ハンディ端末や広告表示機として使用されている。特に、券売機やＡＴＭ（Ａｕｔｏｍａｔｅｄ  Ｔｅｌｌｅｒ  Ｍａｃｈｉｎｅ：自動出納機）の表示装置のように表示素子の前面にタッチパネルなどの入力装置を備える表示装置が広く普及してきている。タッチパネル等の入力装置を備えた表示装置は、一般的に使用者との双方向の情報のやり取りに使用されるものであり、使用者に対して常に必要な情報を表示しておかなければならない。これらの表示装置において、特に屋外で使用される場合は、外光の影響を受けない視認性を確保するために、非常に明るい輝度が必要とされるため、消費電力が増加するという課題があった。
【０００３】
特許文献１に示された表示装置によれば、表示パネル内に設けた外光センサーにより得られた情報に基づき、外光の状態に合わせて照明部の出力を制御し、消費電力を低減する手法が提示されている。
【先行技術文献】
【特許文献】
【０００４】
【特許文献１】国際公開第２００９／０７２４２８号公報
【発明の概要】
【発明が解決しようとする課題】
【０００５】
特許文献１に記載された表示装置においては、待機時のメッセージ（入力指示）を表示させる場合であっても、面状光源装置を通常の点灯状態としているため、特に外光による明るい環境下で表示装置を使用する場合は、消費電力が増加する。
【０００６】
さらに、上記のような場合、無駄な電力が消費されるばかりでなく、光源の温度が上昇して、表示パネルに影響を与え、表示性能が低下するという問題があった。また、光源温度が上昇した状態での長時間の点灯により、光源が劣化して輝度低下が早まり、寿命特性が低下するという問題もあった。
【０００７】
この発明は、上記のような問題点を解消するためになされたもので、タッチパネル等の入力装置を備えた表示装置において、使用者に対して常に必要な情報を限定的に表示することにより、屋外で使用される際、高輝度が要求される用途においても、消費電力の増加、温度上昇、寿命特性の悪化等の問題を抑えることが、可能な表示装置を提供することを目的とする。
【課題を解決するための手段】
【０００８】
本発明の表示装置は、タッチパネルと、タッチパネルの背面に配置され、使用者がタッチパネルの一方の面を操作することにより入力された入力信号により表示画像を表示する表示素子と、光を出射する第１の光源、第１の光源に電源を供給する配線および第１の光源を実装する光源基板、互いに対向する側面を有し、少なくとも１つの側面に第１の光源を備える筐体を有し、表示素子を背面から照射する面状光源装置と、タッチパネルから入力信号が入力された場合、表示素子に表示画像を表示させる基本機能および第１の光源をＯＮ状態とし、タッチパネルに入力信号が所定時間入力されなかった場合、表示素子の基本機能および第１の光源をＯＦＦ状態とし、待機メッセージのみを表示させる制御手段と、を備え、面状光源装置は、待機メッセージを表示させる時間に同期して点灯し、待機メッセージを表示させる領域を照射する第２の光源を備え、第１または第２の光源は、発光ダイオードまたはレーザダイオードから構成されたことを特徴とする。
【発明の効果】
【０００９】
本発明の構成によれば、タッチパネルに入力信号が所定時間入力されない、待機時の消費電力を低減し、温度上昇、光源寿命特性の悪化を防止することができる。
【図面の簡単な説明】
【００１０】
【図１】本発明に係る表示装置の分解斜視図である。
【図２】図１の表示装置を組み立てた状態でＡ-Ａ方向から見た断面図である。
【図３】本発明に係る面状光源装置の平面図である。
【図４】本発明に係る表示装置の平面図である。
【図５】本発明に係る表示装置のタイミングを示す図である。
【図６】本発明に係る面状光源装置の平面図である。
【図７】本発明に係る面状光源装置の平面図である。
【図８】本発明に係る面状光源装置の平面図である。
【発明を実施するための形態】
【００１１】
以下、この発明の実施の形態を図に基づいて説明する。各図において同一の符号を付されたものは、実質的に同様の構成要素を示す。
【００１２】
実施の形態１．
＜表示装置の全体構成＞
図１は、本発明における表示装置の分解斜視図、図２は図１の表示装置を組立てた状態でのＡ−Ａ方向から見た断面図、図３は、本発明の表示装置１００を構成する面状光源装置２の平面図である。図１、図２に示すように、本発明の表示装置１００は、表示素子１と該表示素子１を背面より照射するための面状光源装置２と、表示素子１および面状光源装置２を内部に配置し、開口部３ａを有する筐体３と、表示素子１や面状光源装置２を制御する回路基板４と、表示素子１上に配置され外部からの入力信号を検知するタッチパネル５と、を備えている。また、該タッチパネル５の使用者側に配置される入力面５１には、タッチパネル５を保護するための保護部材（図示せず）を備える場合もある。タッチパネル５および保護部材は、それらの表示領域を含むほぼ全面あるいは周辺部において、粘着剤あるいは硬化性樹脂等の接合部材により、表示素子１または／および筐体３に固定される。
【００１３】
次に、本発明における表示装置１００を構成する上記各部材に関し説明する。
【００１４】
＜表示素子＞
表示素子１は、透過型または半透過型の液晶パネル等より成り、液晶の複屈折性を応用し、ガラスなどの絶縁性基板上に着色層、遮光層、対向電極等が形成された第１の基板１１と、ガラスなどの絶縁性基板上にスイッチング素子となる薄膜トランジスタ（Ｔｈｉｎ Ｆｉｌｍ Ｔｒａｎｓｉｓｔｏｒ、以下、ＴＦＴと称す）、画素電極等が形成された第２の基板１２とを備えている。また、第１の基板１１と第２の基板１２との間隔を保持するためのスペーサ、および両基板（１１、１２）を貼り合わせるためのシール材、両基板（１１、１２）間に狭持させる液晶、液晶を注入する注入口の封止材、液晶を配光させる配向膜、第１の基板１１と第２の基板１２の外側面上に配置された偏光板（図示せず）、および第２の基板１２の外周部、あるいは第２の基板１２の外周部に接続されたテープ状の配線材料（ＴＣＰ、ＣＯＦ等）上に配置された駆動用ＩＣ１３などにより構成されている。
【００１５】
＜面状光源装置＞
面状光源装置２は光を出射する光源２１、光源２１から出射された光を伝播する導光板２２、導光板２２から出射された光の分布、広がりを制御するための光学シート２３、導光板２２の背面へ抜けた光を導光板２２へ戻す反射シート２４およびそれらの部材を保持する前面筐体２５、背面筐体２６等によって構成されており、表示面と反対側である第２の基板１２側より表示素子１を照射している。
【００１６】
＜光源＞
光源２１は、発光ダイオード（Ｌｉｇｈｔ  Ｅｍｉｔｔｉｎｇ  Ｄｉｏｄｅ：以下ＬＥＤと称す）やレーザーダイオード（Ｌａｓｅｒ  Ｄｉｏｄｅ）などの点状光源を使用する。光源２１は回路基板２７へ実装され、背面筐体の一対の内側面に対向して配置した例を示している。光源２１として点状光源を使用する場合には、赤、緑、青等の単色を発光する素子や、青色光と、それにより黄色の光を発する蛍光体からなる擬似白色等があり、本実施の形態では擬似白色ＬＥＤを点状光源として使用した例について説明を行う。なお、光源２１としてＣＣＦＬ（冷陰極管）のような線状光源を用いてもよい。なお、本発明の光源２１の特徴的な構成は後述する。
【００１７】
＜光源基板＞
点状光源を実装する光源基板２７は、一般的なガラスエポキシ樹脂をベースにするものや、フレキシブルなフラットケーブルを使用してもよく、また放熱性を高めるために、アルミ等の金属やセラミックをベースとしたものを使用してもよい。
【００１８】
＜導光板＞
導光板２２は、光源２１より出射された光を、光源２１と対向する側面２２ｃより入射して、導光板２２内で伝播し、出射面２２ａより面状の光を出射させる。導光板２２は透明なアクリル樹脂やポリカーボネート樹脂、ガラスなどで構成され、その反出射面側２２ｂまたは／および出射面側２２ａには、光を出射させるとともに、面内の光の強度分布や出射方向を調整するための、散乱用ドットパターンやプリズム形状を備えている。
＜光学シート＞
導光板２２上には、出射面２２ａから出射される光の強度分布や出射角を調整するために、光学シート２３が配置されている。光学シート２３としては、集光を目的としたレンズシート、光の均一化を目的とした拡散シート、光の利用効率を向上させる偏光反射シート視野角方向で輝度を調整する視野角調整シート等が、目的に応じて必要な枚数配置されている。
【００１９】
＜前面筐体＞
前面筐体２５は、開口部を有し、上面側周辺には表示素子１が搭載、位置決め、保持される。前面筐体２５の材質としては、アルミニウム、ステンレス、鉄等の金属や、ＰＣ（ポリカーボネート）、ＡＢＳ（アクリロニトリルブタジエンスチレン）等の樹脂材料を用いることができる。
【００２０】
＜背面筐体＞
背面筐体２６の内側面には、光源２１を実装した光源基板２７が位置決め、保持され、材質としては光源２１から放出される熱を伝導し、放熱させるために、熱伝導性が高い金属を使用することが望ましい。特に熱伝導性が高いアルミまたはアルミ合金筐体を用いることで、効率よく光源２１からの熱を拡散でき、光源２１の温度が上昇することを防止できる。また、背面筐体２６内には、光源２１および光源基板２７のほか、導光板２２、光学シート２３等も保持されている。
【００２１】
上記、前面筐体２５及び背面筐体２６は、一般にツメによる引っ掛け構造やネジ止めにより互いに固定され、面状光源装置の他の構成部材や表示素子１、回路基板４等を保持する。また、前面筐体２５及び背面筐体２６は、両者を一体化した構造としてもよく、また必要に応じてそれらを分割し、複数で構成してもよい。
【００２２】
＜筐体＞
筐体３は、表示素子１、面状光源装置２、タッチパネル５等を保持する枠状の部材であり、薄板の金属あるいは樹脂成型品等により構成され、ツメ状の固定構造あるいはネジ止め、両面粘着テープや接着剤等により、これらの部材を保持している。筐体３は、一体で形成してもよいし、複数の部材を組み合わせることにより構成してもよく、側面、正面、背面、あるいは周辺部等に、最終製品への取り付け部（ネジ、取付穴等）を設けてもよい。
【００２３】
＜回路基板＞
回路基板４は、表示素子１に表示画像を表示させるおよび面状光源装置２を点灯または非点灯を電気的入出力により制御する制御手段を備えている。通常、ガラスエポキシ等に銅パターンが形成され、表面に電子部品がハンダにより実装されており、主に表示装置１００の裏面側（光が出射されない側）に配置、固定される。また、回路基板４は、表示素子１に接続されるフィルム上の基材に配線を形成したＦＰＣ（Ｆｌｅｘｉｂｌｅ  Ｐｒｉｎｔｅｄ  Ｃｕｒｃｕｉｔ）上に電子部品を実装し、構成してもよい（図示せず）。また、回路基板４を外部からの圧力や静電気から保護するために、アルミニウムやステンレス、亜鉛めっき鋼板等の金属、あるいはＰＥＴ等フィルム状の薄い樹脂から成る保護カバー（図示せず）を取り付けても良い。金属製の保護カバーを使用する場合は、回路基板４側には、回路基板４および回路基板４上に実装された電子部品との電気的接触を避けるためにＰＥＴ等の樹脂製シートを貼り付け、絶縁対策を行うことが望ましい。
【００２４】
＜タッチパネル＞
タッチパネル５は、透明な基板上に形成された透明電極による回路により外部（使用者）から入力された位置座標に関する情報を電気信号に変換し、端部に接続された出力配線部５２を介して表示素子１や面状光源装置２の制御手段を備える回路基板へ伝達する。出力配線部５２としては、薄さと柔軟性による接続の自由度から、フィルム上の基材に配線を形成したＦＰＣ（Ｆｌｅｘｉｂｌｅ  Ｐｒｉｎｔｅｄ  Ｃｕｒｃｕｉｔ）が用いられるが、同等の機能、特性を有するものであれば、異なる材料、構造から成るものでもよい。また、タッチパネル５は、入力面５１側からの加圧や接触による損傷、変形、磨耗、汚れ等を防止するために、ガラスあるいはプラスチック等の透明材料からなる保護部材（図示せず）を、前面側に備えてもよく、保護部材の表面あるいは裏面の周辺部へは、遮光あるいは意匠上の目的により、印刷を付加することもできる。
【００２５】
次に、本発明の表示装置１００における特徴的な構成と、その機能および効果について説明を行う。
【００２６】
面状光源装置２は、前述の通り、導光板２２と光源２１を背面筐体２６内に保持している。図３に示すように、光源２１は、表示装置１００の通常の表示状態において、面状光源装置２より光を出射し、表示素子１を照明するために利用される第１の光源である主光源２１１と、表示装置１００の待機時に部分的な照明を行うために利用される第２の光源である補助光源２１２を備えている。
【００２７】
主光源２１１は、背面筐体２６の内面、たとえば少なくとも複個の点状光源を備えており、表示素子１全面をムラなく照射するため、面状光源装置２の光出射面を均一に照射するよう配置される。具体的には、複数の主光源２１１は、所定の間隔を保って光源基板２７上に実装され、光源基板２７は背面筐体２６の少なくとも一側面に配置されている。
【００２８】
補助光源２１２は、主光源２１１とは別の光源基板２８上に実装されている。補助光源２１２を実装した光源基板２８は、背面筐体２６において、主光源２１１を実装した光源基板２７を配置した側面とは異なる他方の側面に配置される。本実施の形態１における面状光源装置２は、背面筐体２６の一対の側面に主光源２１１を実装した光源基板２７を配置し、この側面とは別の側面であって、一対の側面に対し略垂直となる側面に補助光源２１２を実装した光源基板２８を配置している。図３に示す、補助光源２１２の照射領域２２１は、補助光源２１２のみが点灯された場合に面状光源装置２において、照射される領域を示している。
【００２９】
次に、本発明における表示装置１００の動作を説明する。図４は、本発明の表示装置１００の平面図であって（ａ）は通常の表示状態、（ｂ）は待機状態を示している。図４（ａ）に示すように、表示装置１００は、使用者がタッチパネル５を使用中の場合、図３に示す面状光源装置２の主光源２１１が点灯され、面状光源装置２の光出射面２ａ全体を均一に照射し、表示素子１を背面よりムラなく照射する。このとき、補助光源２１２は非点灯状態とする。
【００３０】
次に、図４（ｂ）に示すように、表示装置１００は、使用者がタッチパネル５を一定時間使用しない場合、待機メッセージ表示領域１０１に待機メッセージを表示して待機状態となるよう設定される。図３に示す通り、面状光源装置２は、主光源２１１を非点灯とし、補助光源２１２を点灯させて補助光源照射領域２２１を照射させる。このように、待機メッセージ表示領域１０１と前述の補助光源照射領域２２１とを対応させるよう補助光源２１２を配置して点灯し、タッチパネル５を介して使用者に必要な情報である待機メッセージを表示素子１に表示させる。
【００３１】
上記の動作について、図面を用いて詳細に説明を行う。図５は表示装置１００における（ａ）タッチパネル５に入力される使用者からの入力信号、（ｂ）表示装置が組み込まれた装置（追加）の基本機能、（ｃ）主光源、（ｄ）補助光源、（ｅ）表示装置待機メッセージのＯＮ／ＯＦＦのタイミングを示す図である。
【００３２】
使用者がタッチパネル５に触れた場合の動作について説明する。図５に示すとおり、（ａ）使用者がタッチパネル５を操作するためにタッチパネルの入力面５１に触れると、タッチパネル５に信号が入力され、信号が入力されるタイミングに同期して、（ｂ）表示装置が組み込まれた装置の基本機能が動作および（ｃ）主光源２１１がＯＮ状態となり点灯し、通常の表示状態となる。また、このとき、（ｄ）補助光源２１２および（ｅ）表示装置の待機メッセージはＯＦＦ状態および補助光源２１２は点灯されず、表示装置１００に待機メッセージが表示されることはない。
【００３３】
次に使用者が入力作業を完了し、タッチパネル５に所定時間（ｔ０時間）触れなかった場合の動作について説明する。図５に示すとおり、（ａ）使用者がタッチパネル５の操作を止めると、タッチパネル５に信号が入力されず、このタッチパネル５のＯＦＦ状態がｔ０時間継続した場合、ｔ０時間経過後に（ｂ）表示装置が組み込まれた装置の基本機能および（ｃ）主光源２１１がＯＦＦ状態となる。また、このタイミングに同期して、（ｄ）補助光源２１２および（ｅ）表示装置の待機メッセージがＯＮ状態となり、補助光源２１２が点灯し、表示装置１００に待機メッセージが表示される。
【００３４】
上記説明したとおり、本発明の表示装置１００は、タッチパネル５へ信号が入力されるタイミングまたは信号が入力されずに所定時間経過したタイミングに同期して、点灯または非点灯を切り替えることが可能な主光源２１１および補助光源２１２を配置した面状光源装置２を備えている。補助光源２１２は、待機メッセージ表示領域１０１と前述の補助光源照射領域２２１とを対応させるよう配置している。このような構成によれば、使用者がタッチパネル５の入力面５１に触れた場合は、タッチパネル５の信号が入力されるタイミングと同期して、表示装置の基本機能、主光源２１１をＯＮ状態として表示装置を通常の表示状態とし、使用者がタッチパネルを触れなかった時間が継続した場合、表示装置１００の基本機能、主光源２１１をＯＦＦ状態とし、補助光源２１２および表示装置１００の待機メッセージをＯＮ状態とし、補助光源２１２を点灯させて、待機メッセージを表示させる。よって、本発明の表示装置は、表示装置の表示画面に待機メッセージを表示する際、消費電力が大きい主光源２１１を非点灯とし、消費電力が少ない補助光源２１２だけを点灯させるため、表示装置の待機状態における、消費電力を大幅に削減することができる。
【００３５】
また、表示装置１００の表示画面に待機メッセージを表示する際、主光源２１１を非点灯とし、補助光源２１２だけを点灯させるため、面状光源装置２の温度上昇を抑制することができ、各主光源２１の劣化を防止し、寿命特性の悪化を防止することができる。
【００３６】
また、本発明の表示装置との連携により、待機メッセージを表示装置の表示画面に表示させる際、表示装置が組み込まれた装置の基本機能もＯＦＦ状態とし、待機メッセージのみを表示させることにより、消費電力を大幅に削減することができる。
【００３７】
実施の形態２．
図６は実施の形態２における面状光源装置２の平面図を示す。実施の形態１においては、補助光源２１２は主光源２１１とは別の光源基板２８上に実装され、光源基板２８を背面筐体２６において、主光源２１１を実装した光源基板２７を配置した側面とは異なる他方の側面に１つ配置された構造を説明したが、本実施の形態２においては、図６に示すように、補助光源２１３および２１４を配置した光源基板２８を複数配置した。
【００３８】
光源基板２８を一側面に対し複数配置することで、補助光源２１３および２１４による照射領域を広くすることが可能となり、待機状態であってもより多くの情報を表示することができる。また、補助光源２１３および２１４を切り替えながら交互に点灯するよう制御し、これに同期して、補助光源照射領域２２１に合わせ待機メッセージを表示するよう制御してもよい。このような構成とすることで、補助光源２１３および２１４の１個当たりの点灯時間を短くすることが可能となる。よって、通常の表示状態よりも待機状態が長くなる使用状況下でも、各補助光源２１３、２１４の点灯時間が短くなるため、実施の形態１の構成と比較し、補助光源２１３および２１４の性能が早期に低下することを防ぐことができる。
【００３９】
実施の形態３．
図７は実施の形態３における面状光源装置の平面図を示す。実施の形態１、２においては、補助光源２１２、２１３、２１４を実装した光源基板２８を背面筐体２６において、主光源２１１を実装した光源基板２７を配置した側面とは異なる他方の側面に配置した構造としたが、本実施の形態３においては、図７に示すように、補助光源２１５を、主光源２１１が実装された光源基板２７と同一の光源基板２７上に実装した。本実施の形態３における補助光源２１５は、表示素子１の表示面に表示される待機メッセージ表示領域に対応した位置であって、主光源２１１間に配置する。
【００４０】
本構造とすることで、実施の形態１、２において、補助光源２１２、２１３、２１４を実装していた光源基板２８が不要となるため、構造を簡略化することができ、コストを抑えることができる。また、主光源２１１と異なる側面に補助光源（２１２、２１３、２１４）を配置する必要がないため、補助光源と背面筐体２６との間に設けていた空間が不要となる。よって、実施の形態１、２の表示装置と比較して、表示装置を小型化することが可能となる。
【００４１】
実施の形態４．
図８は実施の形態４における面状光源装置の平面図を示す。実施の形態３において、主光源２１１と補助光源２１５を同一の光源基板２７上に実装させ、表示素子に表示される待機メッセージ表示領域を照射させていたが、本実施の形態４においては、補助光源を独立して備えず、主光源２１１に電源を供給する系統を複数備えている。図８に示すように、光源２１のうち、表示素子の表示領域に配置された光源２１を点灯する系統と、待機メッセージ表示領域を照射する位置に配置された光源２１６を点灯する系統と、を別の系統とする。このような構成によって、待機メッセージが表示されるタイミングに同期して、待機メッセージ表示領域と対応する位置に配置された光源２１６のみを点灯させて、待機メッセージを表示させる。
【００４２】
本構造とすることで、実施の形態３と同様、補助光源を実装していた光源基板２８をおよび設ける必要がなく、また、付加的な補助光源を設ける必要がなくなるため、構造を簡略化することができ、コストを抑えることができる。また、表示装置を小型化することが可能となる。
【００４３】
また、待機時のメッセージを表示する位置を順次切り替えることに対応して、点灯させる光源２１６を切り替えることで、特定の光源へ負荷がかかり、寿命特性が悪化することを回避することができる。
【００４４】
以上、本発明の実施の形態について説明したが、本発明の範囲内において、上記各実施の形態を適宜、変更、組合せることが可能である。
【符号の説明】
【００４５】
１  表示素子
１１  第２の基板
１２  第１の基板
１３  駆動ＩＣ
２  面状光源装置
２１、２１６  光源、２１１  主光源  
２１２、２１３、２１４、２１５  補助光源
２２  導光板、２２ａ  出射面、２２ｂ  反出射面、２２ｃ  側面
２２１  補助光源の照射領域
２３  光学シート
２４  反射シート
２５  前面筐体
２６  背面筐体
２７、２８  光源基板
３  筐体
４  回路基板
５  タッチパネル
５１  入力面
１００  表示装置。
【図１】
0006015139.tif 000002
【図２】
0006015139.tif 000003
【図３】
0006015139.tif 000004
【図４】
0006015139.tif 000005
【図５】
0006015139.tif 000006
【図６】
0006015139.tif 000007
【図７】
0006015139.tif 000008
【図８】
0006015139.tif 000009